(57)【要約】複枚障子型のドア設備のドア障子が通常の稼働位置から外へ意図しないのに旋回することを阻止する装置であって、ドア障子（１）の端部の近くの領域に配置された切換え伝動装置として構成されたロック装置（保持装置ＨＶ）を有し、該ロック装置が通常位置にて、統合された磁気ブレーキ（ＭＢ）によって固定可能であること。
2004518046.tif 000002
【特許請求の範囲】
【請求項１】
少なくともシングル障子型のドア設備のドア障子が避難兼救助通路へ意図しないのに変位することを防止する電磁式に作動される安全装置において、磁気ブレーキ（ＭＢ）によってロック可能な、回転方向に無関係なロック機構（７，９，１１，２５から３０）が、各ドア障子（１）に、制御可能な安全手段として配属されており、該ロック機構（７，９，１１，２５から３０）の駆動部（７）がドア障子枠（６）に位置的に不動に旋回運動可能に配置されかつ該ロック機構（７，９，１１，２５から３０）の被駆動部（９）がドア枠（３１）に位置的に不動に旋回運動可能に配置されており、前記駆動部（７）が自動的に出発位置へ戻ることができるように構成されていることを特徴とする、少なくともシングル障子型のドア設備のドア障子が避難兼救助通路へ意図しないのに変位することを防止する安全装置。
【請求項２】
前記被駆動部（９）が、通常の稼働状態から外へ旋回する場合に蓄力可能な電気式、機械式、空気力式又は液力式の蓄力器を有している、請求項１記載の安全装置。
【請求項３】
前記ロック機構が、ドア障子（１）の上方のドア障子枠（６）の上に、ドア障子（１）の、制限壁（３８）に向いた端部の近くに配置された保持ピン（７）と、旋回可能に支承され、前記保持ピン（７）に作用結合可能でかつこの作用結合が解除可能であるフォークアーム（９）と、該フォークアーム（９）と同期的に旋回可能で、係止部材（２７から３０）と協働するフォーク保持体（２５）とを有しており、前記フォークアーム（９）と前記フォーク保持体（２５）とが回転運動可能に支承されたピン（１１）に固定されており、該ピン（１１）が前記磁気ブレーキ（ＭＢ）の１部分を形成するブレーキフランジ（２４）を保持している請求項１記載の装置。
【請求項４】
前記磁気ブレーキ（ＭＢ）の力が無段階に調節可能である、請求項３記載の装置。
【請求項５】
前記磁気ブレーキ（ＭＢ）が当該ドア設備と結合された天井構造（３１）の上側に固定され、前記ピン（１１）のフランジ支承部（４０）が前記天井構造（３１）の下側に固定されており、該天井構造（３１）が前記フランジ支承部（４０）の個所に、前記ピン（１１）の通過を可能にする開口（２１）を有している、請求項３記載の装置。
【請求項６】
係止面（４２，４３，４４）を保持する切換えディスク（フォーク保持体２５）で具体化された係止部材（２７から３０）の切換え位置を走査するスイッチ（２６）が、ドア設備を制御する切換え装置の部分として前記係止部材（２７から３０）に配属されている、請求項１から５までのいずれか１項記載の装置。
【請求項７】
前記切換えディスクが３０°互いにずらして配置された３つの係止面（４２，４３，４４）を有し、これらの係止面（４２，４３，４４）の中央の係止面（４３）が前記ピン（１１）と前記フォークアーム（９）とカムを走査する前記ローラ（２８）との中央を通る長手方向軸線（４５）と整合している、請求項１から６までのいずれか１項記載の装置。
【請求項８】
前記フォークアーム（９）がその自由端部に外に向かって拡大する、前記保持ピン（７）をほぼその中央で保持するフォーク開口（１０）を有している、請求項１から６までのいずれか１項記載の装置。
【請求項９】
当該ドア設備が円筒セグメント状の制限壁に対して半径方向に回転可能に配置された回転ドアを有している、請求項１から８までのいずれか１項記載の装置。
【請求項１０】
当該ドア設備が水平方向に移動可能なスライド部材を有している、請求項１から９までのいずれか１項記載の装置。
【発明の詳細な説明】
【０００１】
本発明は、少なくともシングル障子型のドア設備のドア障子が避難兼救助通路へ意図しないのに変位することを防止する、請求項１の上位概念として記載されている、避難兼救助通路にて使用される安全装置に関する。
【０００２】
例えば回転ドアは周知のように、中央の軸を中心として回転可能なドア障子を有している。このドア障子は、回転ドアの中央のコラム状の駆動構造部と円筒セグメント状の制限壁との間を延び、前記駆動構造部に旋回可能に支承され、ドア障子が回転ドアの回転稼働のために前記制限壁に対し半径方向に向けられた稼働位置から、回転ドアが停止させられた場合に通過領域を開放する開口状態へ保持力を克服して旋回させられることができる。
【０００３】
このような形式で回転ドアを通る妨げられない通過を可能にする避難及び救助通路が開放される。
【０００４】
さらにこのような構成は特に夏時間に回転稼働なしの回転ドアの開放を可能にする。
【０００５】
比較し得る情況は引き戸式ドア設備においても生じる。引き戸を不動の側壁に対し垂直な平行な平面に配置された位置から、緊急な場合に通路を開放する開放位置へ旋回させるためには、規定された保持力が克服されなければならない。
【０００６】
ドア障子を前述の如く意図的に開放可能に支承する旋回支承装置には問題がある。何故ならば一方ではドア障子を回転稼働のためにドア障子が例えば横断面で見てＸを成す通常位置に保持する必要があり、他方では回転稼働が中断された状態でドア障子が意図的に旋回させられて除去されるか又は所定の保持力を克服したあとで手で避難兼救助通路を開放する位置へ旋回可能である必要があるからである。このようなドア設備の寸法、ひいてはドア障子の寸法は比較的に大きいので、通常稼働のためにはドアにて発生する力が考慮されなければならない。
【０００７】
経験が示すように、保持力は風圧を克服するために、パニック状態でドア障子を開放するために許容できる力よりも著しく大きい。ドア障子の状態は制御を目的としてどんな場合にも検出されるので、ドア障子の、意図しない、通常位置とは異なる旋回位置はドアの通常稼働を妨げ、ドアの運動の停止状態をもたらす。したがってドア障子を発生する力にも拘わらず常に通常位置に保つ必要がある。しかし、ドア障子はパニック状態では前記通常位置から外へ旋回可能でなければならない。
【０００８】
このためにはＤＥ４０３６２８１Ｃ２号によればいわゆる強風安全装置が公知である。この強風安全装置においては、回転ドアの中心軸線を中心として回転可能なストッパ装置が部分弾性的な旋回可能な保持装置に係合させられることによってドア障子の旋回が阻止される。この旋回阻止は、ドア障子の旋回を可能にするために保持装置に作用する所定の力が保持装置の少なくとも１部をストッパ装置から離反旋回させる大きさに達するまで行なわれる。
【０００９】
保持装置はカムとして構成されたストッパ点を有し、このストッパ点は、ばね力が調節可能でかつ電磁石を介して錠止可能であるばね弾性的な４節リンクにより保持された走行ローラと協働する。
【００１０】
このような装置の構成的な費用は多大で、組み立てとばね力の正しい調節とが面倒であるにも拘わらず、４節リンクのばね弾性的なプレロードに基づき、４節リンクの係止作用は電磁石が作用状態にあっても衝撃的な力インパルスによって解除される可能性がある。したがってこのような回転ドアを妨害されることなく運転することはできない。
【００１１】
回転ドアのドア障子を固持するロック装置であって、各ドア障子のために１つの駆動装置を有し、該駆動装置によってドア障子が電磁式の保持磁石により作動可能なストッパに向かって動かされ、これによって固持される形式のものも公知である（ＤＥ４４４２１９１Ａ１号参照）。
【００１２】
このような構成も構造と組立にきわめて費用がかかる。何故ならば各ドア障子に例えばドアクローザとして構成された駆動装置を設ける必要があるからである。この駆動装置は十分なトルクで各障子を、制御可能なストッパに接触した状態に保持しなければならない。この場合、保持力を改善するために保持磁石が設けられることもできる。
【００１３】
さらにこのようなドアクローザは回転方向に関連して働くので各ドア障子のために付加的な戻し駆動装置が設けられていなければならない。これはこのような回転ドアのドア障子の構成を付加的に困難にしかつ高価にする。
【００１４】
さらにＤＥ９０００８８１Ｕ１号からはドア及び門の駆動装置に使用されることができる電気的な保持磁石とうず電流ブレーキとを有する緩衝兼保持装置が公知である。
【００１５】
さらに回転ドアのドア障子のための安全保持装置としてのリニアモータを介して作動可能な閂も公知である（ＥＰ０３４０７７１号参照）。
【００１６】
しかしこのような装置はその電気機械的な費用が高いことに基づき実地に導入されることはなかった。
【００１７】
本発明の課題はドア設備の運転確実性と寿命を高めるためにドア障子が意図しないのに、特に風圧により旋回することのないように安全確保する公知の装置を簡易化することである。
【００１８】
前記課題は本発明によれば請求項１の特徴によって解決された。
【００１９】
本発明の他の特徴は従属請求項に記載されている。
【００２０】
ドア障子の通常の稼働位置にてドア障子を固定するための手段が、ドア障子に配属されたピンと、ドア枠に不動に回転運動可能に支承され、通常又は作業状態では保持ピンを掴み、有利には±３０度を越えて旋回した場合には保持ピンを解放するフォークアームと、フォークアームの通常又は作業状態で必要な保持モーメントを生ぜしめるためにフォークアームに配属された磁気ブレーキとから成るロック機構によって構成されることは極めて効果的でかつ確実である。何故ならばドア障子に配属されたロック機構の部分として保持ピンの固定は形状接続的にばね作用なしで行なわれるからである。
【００２１】
さらに磁気ブレーキを介して発生させられる保持力は比較的に簡単にそのつどの運転状態に合せて調節されることができる。
【００２２】
磁気ブレーキをフォークアームとフォーク保持体との間のピンの上に、ドア設備の天井構造にピンを回転運動可能に支承する手段を関与させて配置することによって、構成的にコンパクトな、わずかなスペースしか必要としない、特に軽い装置がドア障子の安全確保のために得られる。これはこのような回転ドアの費用に関してだけではなく、組立、稼働及びサービスに関しても著しい利点をもたらす。
【００２３】
係止部材の切換え位置を走査するスイッチを介しドア設備の機能を制御するスイッチ装置にはドア障子のそのつどの位置が伝達される。
【００２４】
他の利点は、磁気ブレーキが解除された場合に、つまり電流が流されていない状態で、所属のドア障子を大きな力を使うことなく軽く旋回させることができることである。各ドア障子が保持ピンの通常位置へ戻り旋回する場合に、保持ピンは容易にかつ確実にフォークアームに係合し、その際にフォークアーム、ひいてはフォーク保持体を通常位置へ連行する。したがって風圧を受けるために及びパニック状態でドア障子を開放するために許容される力を保つことは確実に高い信頼性をもってかつ随時再現可能に実施することができる。
【００２５】
有利な実施例では各ドア障子を通常位置へ戻し旋回することは自動的に行なわれる。このためには特に電気式、機械式、空気力式又は液力式の蓄力器が適している。これらの蓄力器はドア障子の旋回に際し蓄力される。さらに別個に制御可能な駆動部材も考えられる。
【００２６】
以下、本発明を図面に示した回転ドアの実施例に基づき本発明を詳説する。
【００２７】
詳細には示されていない自体公知のマルチプル障子型回転ドアの各ドア障子１には、制限壁３８内にて、障子枠６の上方領域に向き合って、図１にて全体がＨＶで示された保持装置が配属されている。各ドア障子１は障子支承装置１８の１部を形成する障子懸架装置２を介して軸１７を中心として旋回可能に支承されている。障子支承装置１８は回転ドアと一緒に回転する天井構造３１に設けられている。この天井構造３１は、同様に一緒に回転する、円筒外套状の制限部４の間に延在する天井３によって覆われている。
【００２８】
天井３と制限部４との間には環状にブラシシール５が設けられている。
【００２９】
各ドア障子１には保持ピン７が配属されており、この保持ピン７はフランジ８を介して障子枠６の上縁に不動に結合されている。各保持ピン７は特に図３にも示すようにフォークアーム９と協働する。フォークアーム９は天井構造３１の孔２１を貫通するピン１１の一方の端部領域に相対回動不能に固定されている。天井構造３１に係合するフランジ支承部４０を介し、天井３を貫くピン１１は回転運動可能に支承され、他方の端部領域に、確保部材１３を介して保持されたフォーク保持体２５を相対回動不能に保持している。このフォーク保持体２５は一方の端部領域に係止面４２から４４を備えている（図２も参照せよ）。
【００３０】
さらにピン１１には全体として符号ＭＢで示された磁気ブレーキが配属されている。磁気ブレーキＭＢはフォーク保持体２５と天井構造３１との間に配置されている。磁気ブレーキＭＢはピン１１に嵌合キー１２を介し不動に結合されたブレーキフランジ２４と、天井構造３１に不動に結合されたフォークブレーキ２２と、コイル２３とを有している（図１を参照）。
【００３１】
フォーク保持体２５は図２に示すように、ピン１１とは反対側の端面にフォークアーム旋回点１９に関してそれぞれ３０°ずらして配置された半円形状に湾曲された係止面４２，４３，４４を有している。これらの係止面４２，４３，４４は回転方向にばね弾性的に支承されたローラ２８があとで詳細に説明する形式で配属されている。
【００３２】
ローラ２８はピン２９によってフォーク３０に回転可能に支承されている。このローラ２８は軸方向にばね弾性的な突き棒２７を介してスイッチ２６に作用することができる。
【００３３】
天井構造３１のフランジ軸受４０に回転運動可能に支承された、孔２１を貫通するピン１１で、フォークアーム９とフォーク保持体２５とは図２に示すように、長手方向軸線４５と整合するように剛性的に結合されている。
【００３４】
長手方向軸線４５は同時に、ばね弾性的に支承されたローラ２８の中心線でもあり、したがって図２に示された状態ではばね弾性的なローラ２８の中心線と長手方向軸線４５も互いに整合する。この場合、フォークアーム１６はフォーク保持体２５が図示の位置に留まっている限り、保持ピン７を掴み（図１と図３も参照）かつ保持し、ドア障子１を図３に示された長手方向軸線４５に向けられた、回転ドアの通常の稼働位置に相当する位置に保持する。この位置に固定するためには磁気ブレーキＭＢ（図１参照）を介し、コイル２３が励起された状態で、必要な保持モーメントが発生させられるので、フォーク保持体２５のブレーキフランジ２４とフォークブレーキ２２との間の相対運動が阻止される。この結果、フォークアーム９も長手方向軸線４５に向けられた位置に留められ、保持ピン７を介して、これに結合された回転ドアのドア障子１を、磁気ブレーキＭＢの保持力の決定によって決定可能でかつ通常位置から例えば風力によってドア障子１が移動することを阻止する力で保持する。
【００３５】
非常及び危険事態では前記保持力は、磁気ブレーキＭＢを遮断することにより除かれる。その結果、ドア障子１に力が作用することにより一方又は他方の方向へドア障子１がドア障子の通常位置から旋回させられ、ひいては避難路が開放させられる。この場合にはドア障子１が一方又は他方の旋回方向に運動することに基づき保持ピン７を介しフォークアーム９が図３に示すように一方又は他方の旋回方向１４へ動かされ、ばね弾性的なローラ２８はフォーク保持体２５の係止面４２又は４４を介し長手方向軸線４５の方向へ動かされる。この運動はスイッチ２６の作動に用いられ、このスイッチ２６の係止面４２から４４で規定された切換え位置は回転ドア設備の図示されていない制御回路にて検出されかつ作用させられることができる。
【００３６】
そのうえ、係止面４２と４４はドア障子１が完全に外へ旋回した非常及び危険事態から長手方向軸線に合わせられた通常位置へドア障子１が戻される場合にフォークアーム９と保持ピン７との確実な係合を保証する。
【００３７】
もちろん、先きに記述したロック装置は図示の実施例とは異なって構成されることもできる。ただ重要であることはロック機構の運動が、制御可能な磁気ブレーキで中断される必要があることである。
【００３８】
前記記述は回転ドアに基づいているが、本発明は側方部分を有しているか又は有していない引き戸の水平方向に移動可能な障子にも応用可能である。
【図面の簡単な説明】
【図１】
回転ドアのドア障子のドア障子枠の上縁に向き合って配置された本発明による保持装置の断面図。
【図２】
図１の保持装置を通常位置で示した平面図。
【図３】
図１の保持装置の機能を示した図。
【符号の説明】
１  ドア障子、  ２  障子懸架装置、  ３  天井、  ４  制限部、  ５  ブラシシール、  ６  ドア障子枠、  ７  保持ピン、  ８  フランジ、  ９  フォークアーム、  １０  フォーク開口、  １２  嵌合キー、  １３  確保部材、  １４  旋回方向、  １５  旋回方向、  １６  フォームアーム、  １７  軸、  １８  障子支承装置、  １９  回転点、  ２０  支承部、  ２１  孔、  ２２  フォークブレーキ、  ２３  コイル、  ２４  ブレーキフランジ、  ２５  フォーク保持体、  ２６  スイッチ、  ２７  突き棒、  ２８  ローラ、  ２９  ピン、  ３０  フォーク、  ３８  制限壁、  ４０  フランジ軸受、  ４２  係止面、  ４３  係止面、  ４５  長手方向軸線、  ＨＶ  保持装置、  ＭＢ  磁気ブレーキ
【国際公開パンフレット】
2004518046.tif 000003
2004518046.tif 000004
2004518046.tif 000005
2004518046.tif 000006
2004518046.tif 000007
2004518046.tif 000008
2004518046.tif 000009
2004518046.tif 000010
2004518046.tif 000011
2004518046.tif 000012
2004518046.tif 000013
2004518046.tif 000014
2004518046.tif 000015
2004518046.tif 000016
2004518046.tif 000017
2004518046.tif 000018
【国際公開パンフレット（コレクトバージョン）】
2004518046.tif 000019
2004518046.tif 000020
【国際公開パンフレット（コレクトバージョン）】
2004518046.tif 000021
2004518046.tif 000022
【国際調査報告】
2004518046.tif 000023
2004518046.tif 000024
2004518046.tif 000025
2004518046.tif 000026
2004518046.tif 000027
2004518046.tif 000028